(57)【要約】【課題】暗い環境下での３Ｄ画像撮影において、３Ｄ画像効果を高めることができるＬＥＤドライバを提供する。【解決手段】左側カメラを含む左側撮像部と右側カメラを含む右側撮像部の各々に対して撮像補助光源となる左側ＬＥＤ及び右側ＬＥＤを発光させるＬＥＤドライバであって、前記左側撮像部及び前記右側撮像部から出力される撮影開始タイミング信号をそれぞれ入力される入力端と、前記左側ＬＥＤ及び前記右側ＬＥＤにそれぞれ電流を出力する出力端と、を備え、前記左側撮像部及び前記右側撮像部それぞれからの前記撮影開始タイミング信号に同期して、前記左側ＬＥＤ及び前記右側ＬＥＤそれぞれに異なる大きさの電流を供給するＬＥＤドライバとする。【選択図】図２
2013101247.tif 000002
【特許請求の範囲】
【請求項１】
左側カメラを含む左側撮像部と右側カメラを含む右側撮像部の各々に対して撮像補助光源となる左側ＬＥＤ及び右側ＬＥＤを発光させるＬＥＤドライバであって、
前記左側撮像部及び前記右側撮像部から出力される撮影開始タイミング信号をそれぞれ入力される入力端と、
前記左側ＬＥＤ及び前記右側ＬＥＤにそれぞれ電流を出力する出力端と、を備え、
前記左側撮像部及び前記右側撮像部それぞれからの前記撮影開始タイミング信号に同期して、前記左側ＬＥＤ及び前記右側ＬＥＤそれぞれに異なる大きさの電流を供給することを特徴とするＬＥＤドライバ。
【請求項２】
前記左側撮像部による撮影の際には前記左側ＬＥＤの供給電流を前記右側ＬＥＤの供給電流より大きくし、前記右側撮像部による撮影の際には前記右側ＬＥＤの供給電流を前記左側ＬＥＤの供給電流より大きくすることを特徴とする請求項１に記載のＬＥＤドライバ。
【請求項３】
交互に発光する前記左側ＬＥＤ及び前記右側ＬＥＤの発光タイミングが１／１２０秒毎であることを特徴とする請求項１または請求項２に記載のＬＥＤドライバ。
【請求項４】
請求項１〜請求項３のいずれかに記載のＬＥＤドライバと、
左側カメラを含む左側撮像部と、右側カメラを含む右側撮像部と、
左側ＬＥＤと、右側ＬＥＤと、を備えることを特徴とする撮像装置。
【請求項５】
請求項４に記載の撮像装置を備えることを特徴とする電子機器。
【請求項６】
左側カメラを含む左側撮像部と右側カメラを含む右側撮像部の各々に対して撮像補助光源となる左側ＬＥＤ及び右側ＬＥＤを発光させる発光方法であって、
前記左側撮像部及び前記右側撮像部それぞれからの撮影開始タイミング信号に同期して、前記左側ＬＥＤ及び前記右側ＬＥＤそれぞれに異なる大きさの電流を供給して前記左側ＬＥＤ及び前記右側ＬＥＤを発光させることを特徴とする発光方法。
【発明の詳細な説明】
【技術分野】
【０００１】
本発明は、３Ｄ撮像装置に用いられるＬＥＤドライバ、撮像装置、電子機器及びＬＥＤの発光方法に関する。
【背景技術】
【０００２】
一般に、携帯電話機等に搭載されるデジタル撮像装置においては、室内などの暗い環境下ではＬＥＤ（Light Emitting Diode）等の補助照明装置を使用して撮影を行う。
【０００３】
例えば、特許文献１には、図５に示すような構成のデジタル撮像装置１０が開示されている。従来のデジタル撮像装置１０は、鏡筒部１２と、画像センサ部１３と、画像処理及び制御装置２０と、記憶部２３を備えている。また、光学レンズ部１４、第１ＬＥＤ１５、第１ＬＥＤドライバ１７、第２ＬＥＤ２５及び第２ＬＥＤドライバ２７から成る撮影用補助光源装置をデジタル撮像装置１０は備えている。画像処理及び制御装置２０は、画像信号処理部２１と、ＬＥＤドライバ制御部２２から構成され、デジタル撮像装置１０を備えた上位機器の上位制御監視装置３０の下で作動する。
【０００４】
デジタル撮像装置１０においては、暗い環境下での撮影の際、ホワイトバランスデータの値に対応する発光制御値データを記憶装置２３からＬＥＤドライバ制御部２２に読み出し、ＬＥＤドライバ制御部２２は、各々の発光制御値データを第１ＬＥＤドライバ１７と第２ＬＥＤドライバ２７に出力する。第１ＬＥＤドライバ１７及び第２ＬＥＤドライバ２７は、発光制御値データに基づき各々の駆動電流値データを設定し、第１ＬＥＤ１５及び第２ＬＥＤ２５は各々の駆動電流値に応じた光量で点灯する。第１ＬＥＤ１５及び第２ＬＥＤ２５の発光は、光学レンズ部１４を介して異なる色温度光源の混合及び照射角制御が行われ、被写体を照射する。
【０００５】
このように、二つのＬＥＤから発光された異なる色温度の光が混合されて被写体を照射するので、撮影環境下にある光源の色温度と同等の色温度で補助光発光を行える。これにより、被写体の色調が撮影用補助光に影響を受けず、ホワイトバランスの整った撮影結果が得られる。
【０００６】
なお、ＬＥＤの駆動電流の電流値を制御する制御装置の従来例が特許文献２に開示されている。
【先行技術文献】
【特許文献】
【０００７】
【特許文献１】特開２０１０−１０２２０８号公報（第１図等）
【特許文献２】特開２００７−２５６７１５号公報
【発明の概要】
【発明が解決しようとする課題】
【０００８】
ここで、上記特許文献１のデジタル撮像装置１０において、鏡筒部と画像センサ部から成るカメラ部を一つ追加して所謂２眼タイプの撮像装置とし、左目用画像と右目用画像を撮影する３Ｄ画像撮影を行うことが考えられる。
【０００９】
しかしながら、デジタル撮像装置１０では、第１ＬＥＤ１５と第２ＬＥＤ２５が近接して設置され、かつ、単一の光学レンズ部１４を通して照明光が被写体に照射されるため、被写体の画像の陰影が一方向からのみとなり、左右の視差が小さくなり、３Ｄ画像効果が薄れてしまう。
【００１０】
上記問題点に鑑み、本発明は、暗い環境下での３Ｄ画像撮影において、３Ｄ画像効果を高めることができるＬＥＤドライバ及び発光方法を提供することを目的とする。
【課題を解決するための手段】
【００１１】
本発明に係るＬＥＤドライバは、
左側カメラを含む左側撮像部と右側カメラを含む右側撮像部の各々に対して撮像補助光源となる左側ＬＥＤ及び右側ＬＥＤを発光させるＬＥＤドライバであって、
前記左側撮像部及び前記右側撮像部から出力される撮影開始タイミング信号をそれぞれ入力される入力端と、
前記左側ＬＥＤ及び前記右側ＬＥＤにそれぞれ電流を出力する出力端と、を備え、
前記左側撮像部及び前記右側撮像部それぞれからの前記撮影開始タイミング信号に同期して、前記左側ＬＥＤ及び前記右側ＬＥＤそれぞれに異なる大きさの電流を供給する構成としている。
【００１２】
このような構成によれば、暗い環境下での３Ｄ画像撮影において、左目用画像と右目用画像の陰影の左右非対称性が向上し、左右の視差を強調した画像を撮像できる。従って、立体感の損なわれない３Ｄ撮影が可能となる。
【００１３】
また、上記構成において、前記左側撮像部による撮影の際には前記左側ＬＥＤの供給電流を前記右側ＬＥＤの供給電流より大きくし、前記右側撮像部による撮影の際には前記右側ＬＥＤの供給電流を前記左側ＬＥＤの供給電流より大きくするようにしてもよい。
【００１４】
また、上記いずれかの構成において、交互に発光する前記左側ＬＥＤ及び前記右側ＬＥＤの発光タイミングが１／１２０秒毎であるようにしてもよい。
【００１５】
また、本発明に係る撮像装置は、
上記いずれかの構成のＬＥＤドライバと、
左側カメラを含む左側撮像部と、右側カメラを含む右側撮像部と、
左側ＬＥＤと、右側ＬＥＤと、を備える構成としている。
【００１６】
また、本発明に係る電子機器は、上記構成の撮像装置を備えている。
【００１７】
また、本発明に係る発光方法は、
左側カメラを含む左側撮像部と右側カメラを含む右側撮像部の各々に対して撮像補助光源となる左側ＬＥＤ及び右側ＬＥＤを発光させる発光方法であって、
前記左側撮像部及び前記右側撮像部それぞれからの撮影開始タイミング信号に同期して、前記左側ＬＥＤ及び前記右側ＬＥＤそれぞれに異なる大きさの電流を供給して前記左側ＬＥＤ及び前記右側ＬＥＤを発光させる構成としている。
【発明の効果】
【００１８】
本発明によると、暗い環境下での３Ｄ画像撮影において、３Ｄ画像効果を高めることができる。
【図面の簡単な説明】
【００１９】
【図１】本発明の一実施形態に係る上位機器のブロック構成図である。
【図２】本発明の一実施形態に係る３Ｄデジタル撮像装置のブロック構成図である。
【図３】左側カメラによる撮影時の照明の概念図である。
【図４】右側カメラによる撮影時の照明の概念図である。
【図５】デジタル撮像装置の従来例を示すブロック構成図である。
【発明を実施するための形態】
【００２０】
以下に本発明の一実施形態について図面を参照して説明する。
【００２１】
本発明の一実施形態に係る３Ｄデジタル撮像装置１００を備えた上位機器２００のブロック構成を図１に示す。上位機器２００は、種々の電子機器とすることが可能であり、例えば、携帯電話機やデジタルカメラなどとすることができる。なお、例えば上位機器２００が携帯電話機である場合は、図１に示す構成の他に、通話機能、メール機能及びインターネット機能に関する構成などを当然に有している。
【００２２】
上位機器２００は、３Ｄデジタル撮像装置１００と、圧縮処理部１１０と、メモリ部１２０と、伸長処理部１３０と、画像出力部１４０と、表示部１５０と、同期信号出力部１６０と、ＣＰＵ１７０と、操作部１８０を備えている。
【００２３】
３Ｄデジタル撮像装置１００は、撮像した左目用画像信号及び右目用画像信号から成る３Ｄ画像信号を圧縮処理部１１０に出力する。３Ｄデジタル撮像装置１００の詳細構成については後述する。
【００２４】
圧縮処理部１１０は、３Ｄデジタル撮像装置１００から出力される３Ｄ画像信号に対して例えばＭＰＥＧ圧縮方式などの動画用の圧縮符号化処理を行う。メモリ部１２０は、圧縮処理部１１０により圧縮符号化された圧縮符号化信号を記憶される記憶装置であり、例えばＳＤカードのような半導体メモリを採用することができる。
【００２５】
伸長処理部１３０は、メモリ部１２０から読み出された圧縮符号化信号を伸長して復号する。画像出力部１４０は、伸長処理部１３０で伸長復号された後の画像信号を表示部１５０で表示可能な形式の信号に変換する。表示部１５０は、画像出力部１４０により変換された後の画像信号に基づき画像を表示し、例えば液晶表示装置で構成される。
【００２６】
同期信号出力部１６０は、左目用画像及び右目用画像の表示部１５０への交互の表示に不図示の３Ｄメガネの左右シャッター動作を同期させるための同期信号を３Ｄメガネに送る。同期信号としては、例えば赤外線信号を用いることができる。交互に表示部１５０へ表示される左目用画像及び右目用画像を３Ｄメガネを通して見ることで、左右の視差によって立体感覚を認識することができる。
【００２７】
ＣＰＵ１７０は、上位機器２００全体の動作を制御する制御装置である。操作部１８０は、撮像を開始するためのキーなどから構成され、ユーザからの指示が入力される。なお、操作部１８０として、表示部１５０の前面に配置されたタッチパネルを採用し、撮像の開始をタッチパネルへのタッチにより行ってもよい。
【００２８】
３Ｄデジタル撮像装置１００のブロック構成を図２に示す。３Ｄデジタル撮像装置１００は、補助光源として二つのＬＥＤを使用した２眼タイプの撮像装置である。３Ｄデジタル撮像装置１００は、左側カメラ１０１と、右側カメラ１０２と、左側ＬＥＤ１０３と、右側ＬＥＤ１０４と、ＬＥＤドライバ１０５と、３Ｄ画像処理制御装置１０８を備えている。
【００２９】
左側カメラ１０１は、レンズ部１０１Ａと、画像センサ１０１Ｂを有している。右側カメラ１０２は、レンズ部１０２Ａと、画像センサ１０２Ｂを有している。レンズ部１０１Ａ及び１０２Ａは、被写体の光学像を画像センサ１０１Ｂ及び１０２Ｂに結像させると共に光量などの調整を行う。画像センサ１０１Ｂ及び１０２Ｂは、入射される光学像を電気信号に変換する固体撮像素子であり、ＣＣＤまたはＣＭＯＳセンサなどで構成される。
【００３０】
３Ｄ画像処理制御装置１０８は、左側カメラ画像処理制御装置１０６と、右側カメラ画像処理制御装置１０７を有している。左側カメラ１０１と左側カメラ画像処理制御装置１０６から左側撮像部Ｌが構成され、右側カメラ１０２と右側カメラ画像処理制御装置１０７から右側撮像部Ｒが構成される。
【００３１】
左側カメラ画像処理制御装置１０６は、画像センサ１０１Ｂから出力されるアナログ信号の画像信号をデジタル信号の画像信号に変換し、デジタル信号の画像信号に対して各種画像処理を行う。右側カメラ画像処理制御装置１０７は、画像センサ１０２Ｂから出力されるアナログ信号の画像信号をデジタル信号の画像信号に変換し、デジタル信号の画像信号に対して各種画像処理を行う。左側画像処理制御装置１０６で画像処理された画像信号は、左目用画像信号として、右側画像処理制御装置１０７で画像処理された画像信号は、右目用画像信号として圧縮処理部１１０（図１）に出力される。
【００３２】
ＬＥＤドライバ１０５は、左側カメラ画像処理制御装置１０６及び右側カメラ画像処理制御装置１０７が出力するそれぞれの撮影開始タイミング信号を入力される入力端を有している。また、ＬＥＤドライバ１０５は、発光させるための駆動電流を左側ＬＥＤ１０３及び右側ＬＥＤ１０４のそれぞれに出力する出力端を有している。
【００３３】
左側ＬＥＤ１０３は、左側カメラ１０１の左側に配され、右側ＬＥＤ１０４は、右側カメラ１０２の右側に配される。即ち、左側ＬＥＤ１０３及び右側ＬＥＤ１０４は、左側カメラ１０１及び右側カメラ１０２の外側に配される。左側ＬＥＤ１０３及び右側ＬＥＤ１０４は、屋内などの暗い環境下での撮影を補助する光源となる。
【００３４】
次に、３Ｄデジタル撮像装置１００における撮像時のＬＥＤ発光制御について説明する。
【００３５】
左側撮像部Ｌによる撮像の際には、左側カメラ画像処理制御装置１０６より出力された撮影開始タイミング信号をＬＥＤドライバ１０５が受け、ＬＥＤドライバ１０５は左側ＬＥＤ１０３及び右側ＬＥＤ１０４それぞれに電流を供給する。このとき、左側ＬＥＤ１０３には、右側ＬＥＤ１０４よりも大きな電流を供給する。これにより、左側ＬＥＤ１０３は右側ＬＥＤ１０４より明るく発光する。
【００３６】
左側カメラ１０１による撮影時の照明の概念図を図３に示す。なお、図３において、左側ＬＥＤ電流供給線１０３０は、ＬＥＤドライバ１０５から左側ＬＥＤ１０３に電流を供給するためのラインである。また、右側ＬＥＤ電流供給線１０４０は、ＬＥＤドライバ１０５から右側ＬＥＤ１０４に電流を供給するためのラインである。左側ＬＥＤ１０３が右側ＬＥＤ１０４より明るく発光することで、被写体１０９が左右非対称に照明され、左側カメラ１０１により撮像される。
【００３７】
同様に、右側撮像部Ｒによる撮像の際には、右側カメラ画像処理制御装置１０７より出力された撮影開始タイミング信号をＬＥＤドライバ１０５が受け、ＬＥＤドライバ１０５は左側ＬＥＤ１０３及び右側ＬＥＤ１０４それぞれに電流を供給する。このとき、右側ＬＥＤ１０４には、左側ＬＥＤ１０３よりも大きな電流を供給する。これにより、右側ＬＥＤ１０４は左側ＬＥＤ１０３より明るく発光する。
【００３８】
右側カメラ１０２による撮影時の照明の概念図を図４に示す。右側ＬＥＤ１０４が左側ＬＥＤ１０３より明るく発光することで、被写体１０９が左右非対称に照明され、右側カメラ１０２により撮像される。
【００３９】
このように、カメラと同様に照明用のＬＥＤを左右に２つ設置し、２つあるカメラのうち１つのカメラでの画像取得のタイミングに同期させて、２つある照明用ＬＥＤの電流値を片側を大きく、他方を小さくする。これにより、取得する左目用画像と右目用画像の陰影の左右非対称性が向上し、即ち、左右の視差を強調した画像を取得できる。従って、屋内などの暗い環境下でも立体感の損なわれない３Ｄ撮像が可能となる。
【００４０】
なお、左側撮像部Ｌによる撮像と右側撮像部Ｒによる撮像は交互に繰り返し行われる。カメラが一つである単眼タイプの撮像装置における動画撮影では、カメラ画像処理制御装置より出力される撮影開始タイミング信号は通常１／６０秒毎であり、この周期でのＬＥＤ発光が必要となる。しかしながら、２眼タイプである本実施形態に係る撮像装置では、左右のカメラ撮影毎にＬＥＤ発光が必要となるため、１／１２０秒毎のＬＥＤ発光が必要となる。
【００４１】
以上、本発明の一実施形態について説明したが、本発明の趣旨の範囲内であれば、実施形態は種々変形することが可能である。
【００４２】
例えば、上記実施形態では、左右のいずれのカメラで撮像する場合も左右両方のＬＥＤに電流を流していたが、左側カメラでの撮像の場合は左側ＬＥＤにのみ電流を流し、右側カメラでの撮像の場合は右側ＬＥＤにのみ電流を流してもよい。つまり、片側のＬＥＤには電流を流さないことを電流値ゼロの電流を流すと捉えてよい。
【００４３】
また、左側カメラでの撮像時には右側ＬＥＤを左側ＬＥＤより電流を大きくし、右側カメラでの撮像時には左側ＬＥＤを右側ＬＥＤより電流を大きくしてもよい。
【００４４】
また、上記実施形態では、左右のＬＥＤを左右のカメラの外側に配置したが、左右のＬＥＤの間隔が十分であれば、左右のＬＥＤを左右のカメラの内側に配置しても同様の効果を得ることができる。
【００４５】
また、あらゆる電子機器に本発明に係るＬＥＤドライバを搭載することにより、同様の効果を得ることができる。
【符号の説明】
【００４６】
１００  ３Ｄデジタル撮像装置
１０１  左側カメラ
１０１Ａ  レンズ部
１０１Ｂ  画像センサ
１０２  右側カメラ
１０２Ａ  レンズ部
１０２Ｂ  画像センサ
１０３  左側ＬＥＤ
１０３０  左側ＬＥＤ電流供給線
１０４  右側ＬＥＤ
１０４０  右側ＬＥＤ電流供給線
１０５  ＬＥＤドライバ
１０６  左側カメラ画像処理制御装置
１０７  右側カメラ画像処理制御装置
１０８  ３Ｄ画像処理制御装置
１０９  被写体
Ｌ  左側撮像部
Ｒ  右側撮像部
【図１】
2013101247.tif 000003
【図２】
2013101247.tif 000004
【図３】
2013101247.tif 000005
【図４】
2013101247.tif 000006
【図５】
2013101247.tif 000007